(57)【特許請求の範囲】
【請求項１】
呼吸マスク用フェースシールアセンブリであって、
底部分、並びに互いに離間配置されて該底部分から略上方に延在する第１および第２側部分を備える略Ｕ状フレームと、
前記第１側部分よりも前記第２側部分に近い位置で前記底部分に取り付けられるとともに、前記底部分の上方位置で前記第１側部分に取り付けられる第１フェースシールセグメントと、
前記第２側部分よりも前記第１側部分に近い位置で前記底部分に取り付けられるとともに、前記底部分の上方位置で前記第２側部分に取り付けられる第２フェースシールセグメントと、
を具備することを特徴とするフェースシールアセンブリ。
【請求項２】
前記第１フェースシールセグメントが前記第２フェースシールセグメントと重なり、前記第１および第２フェースシールセグメントの各々が弾性片を有する、請求項１に記載のフェースシールアセンブリ。
【請求項３】
呼吸マスクであって、
ヘルメットと、
前記ヘルメットに取り付けられるフェースシールドフレームおよび該フェースシールドフレーム内に搭載されるフェースシールドを具備するフェースシールドアセンブリと、
前記フェースシールドアセンブリに取り付けられるフェースシールアセンブリとを具備し、該フェースシールアセンブリは、
底部分、並びに互いに離間配置されて該底部分から略上方に延在する第１および第２側部分を具備する略Ｕ状のフェースシールフレームと、
前記第１側部分よりも前記第２側部分に近い位置で前記底部分に取り付けられるとともに、前記底部分の上方位置で前記第１側部分に取り付けられる第１フェースシールセグメントと、
前記第２側部分よりも前記第１側部分に近い位置で前記底部分に取り付けられるとともに、前記底部分の上方位置で前記第２側部分に取り付けられる第２フェースシールセグメントとを具備し、
前記フェースシールドアセンブリを装着者の顔の上に配置したときに、前記第１フェースシールセグメントが該装着者の顔の第１側部に接触し、前記第２フェースシールセグメントが該装着者の顔の第２側部に接触し、前記第１および第２フェースシールセグメントが該装着者の顎の下で交差し、それによって該装着者の顔を呼吸マスクの外部の空気から略封止すること、
を特徴とする呼吸マスク。
【発明の詳細な説明】
【０００１】
技術分野
本発明は、呼吸マスク用フェースシールに関し、より詳しくは、呼吸マスクと装着者の顔面との間の接触面を封止して汚染した空気が装着者の呼吸領域内に入るのを防止するフェースシールに関する。
【０００２】
背景技術
呼吸マスクは、通常、空気が浮遊微粒子、気体、および蒸気などの有毒または有害な物質で汚染されている恐れのある現場で作業する人々により装着される。例えば、サンダーまたは研磨作業現場における空気は、風塵粒子を含有し、塗装現場の空気は、塗料の溶剤蒸気または滴を含有し、溶接現場における空気は、吸い込むと有害な蒸発気を含有している恐れがある。これらの現場で作業する人々は、装着者の呼吸範囲に達する前に汚染した空気を濾過するか、または離れた空気源から汚染していない空気を使用者に供給する呼吸マスクをしばしば装着する。
【０００３】
特定の環境で使用される呼吸マスクの形式は、装着者が求める保護の程度と種類とによって決まる。装着者の目と呼吸系との両方を保護することが望ましい場合には、通常「ルーズフィットフェースピース」と称される装置が、しばしば使用される。この用語「ルーズフィットフェースピース」は、フェースシールドまたは顔の周りのある種のエンクロージャが顔面に対し部分的なシールを形成するように構成されている呼吸保護装置に対する米国規格協会（ＡＮＳＩ）の等級を規定する。ルーズフィットフェースピースは、典型的に装着者の首や両肩を覆わないものであり、飛来物または落下物から頭部を保護するためにヘルメットまたは他のヘッドピースを有することができる。多くの場合、フェースシールドは、顔面や目を覆う位置と顔面から離れた位置との間で、ヘッドギヤに対して回転するように設計される。
【０００４】
汚染した空気が装着者の顔面や目に至るのを妨げるようにするために、ルーズフィットフェースピースは、しばしばフェースシールを備えている。呼吸マスクがこのように封止される場合、そのマスク内部の気圧は、周囲環境と比べて負または正のいずれかになる。負圧呼吸マスクは、周囲の大気よりもマスク内部でより低い圧力を有するように設計され、汚染した空気が呼吸マスク内に引き込まれるのを防止するためにそのマスクと装着者の顔面との間に気密シールが必要となる。正圧呼吸マスクは、通常、周囲の空気よりもマスク内部でより高い圧力を有するように設計され、マスク内で圧力下にある過剰な空気を周囲空気に逃がしてやる少なくとも１つの小開口部を有する。
【０００５】
ルーズフィットフェースピースと共に使用される幾つかの公知のフェースシール構造がある。１つの一般的なフェースシール構造は、一方の縁部で硬質フェースシールドピースの両側部と下側部分とに取り付けられ、かつ他方の縁部に沿って弾性材料を有する１片の布帛を備える。使用者がその硬質フェースシールドピースを顔面を覆う位置まで下向きに引っ張ると、弾性縁部が典型的に使用者の顎および口の部分の前と接触する。使用者の快適さのために、また適正なシールの形成を補助するために、使用者は、フェースシールドピースの下に手を差し入れて顎下の布帛の弾性縁部を引っ張らなければならない。この作業は使用者にとって、特にその人が何らかの他の作業を行うために両手を使用しなければならない場合、またはその人が扱いにくい作業用手袋を装着している場合に、難しく且つ不便である。
【０００６】
このフェースシール構造は、フェースシールドの下に眼鏡を装着する使用者にとっても不便となる。これは、フェースシールドを顔面上に引き下ろすと、布帛の弾性縁部が眼鏡の角に当たるからである。弾性縁部と眼鏡との間でのこの接触は、眼鏡をずらしたり、眼鏡を使用者の顔面から落下させることもある。
【０００７】
他のフェースシール構造は、装着者の頬および顎と接触してシールを提供するために、フェースシールドの内部に配置されるゴムまたは他の弾性材料から製造されるＵ状フランジの使用を含む。例えば、本発明の譲受人によって同一所有されている米国特許第４，２８０，４９１号（Ｂｅｒｇ  ｅｔ  ａｌ．）では、発泡体などの弾性材料から形成され、フレームの周縁部に沿って固定されて使用者の顔面の両側部に沿って、顎を横切ってフェースシールドアセンブリを封止するＵ状封止手段を有する呼吸マスクについて記載されている。これらのフェースシールは、ある使用者には十分なシールを提供できるが、様々に異なる顔面および頭部サイズに適応させることが容易ではない。故に、これらのフェースシールは、使用者間で交換できない。
【０００８】
発明の要約
本発明は、フェースシールドをその作用位置に降ろしたときに、装着者の顔面に対し自己調節する、呼吸マスクに使用するためのフェースシールを提供する。可撓性を有するフェースシールセグメントは、装着者の快適さと呼吸保護との両目的に対するフェースシールの正しい位置決めを提供する。
【０００９】
本発明の一態様では、呼吸マスク用フェースシールアセンブリが提供される。このアセンブリは、底部分と、互いに間隔を空けて配置され、底部分から略上方に延在する第１および第２側部分とを有する略Ｕ状フレームを具備する。さらにこのアセンブリは、第１側部分よりも第２側部分に近い位置で底部分に取り付けられるとともに、底部分の上方位置で第１側部分に取り付けられる第１フェースシールセグメントと、第２側部分よりも第１側部分に近い位置で底部分に取り付けられるとともに、底部分の上方位置で第２側部分に取り付けられる第２フェースシールセグメントとを備える。本発明は、その範囲内で、第１フェースシールセグメントが第２フェースシールセグメントと重なること、並びに第１および第２フェースシールセグメントがそれぞれ弾性片を有することを含む。
【００１０】
このフェースシールアセンブリでは、第１フェースシールセグメントの少なくとも一部が、第１フェースシールセグメントの弾性片を越えて延在して第１フェースシールフラップ部を形成し、かつ第２フェースシールセグメントの少なくとも一部が、第２フェースシールセグメントの弾性片を越えて延在して第２フェースシールフラップ部を形成することができる。少なくとも１つの態様では、第１および第２フェースシールセグメントが、不織布、織布、難燃材料または弾性材料であることができる布帛から製造される。第１および第２フェースシールセグメントの布帛は、その布帛を通過する空気の動きを防止するために非孔質であっても良い。
【００１１】
本発明の他の態様では、呼吸マスクが提供される。この呼吸マスクは、ヘルメットと、ヘルメットに取り付けられるフェースシールドフレームおよびその中に搭載されたフェースシールドを具備するフェースシールドアセンブリと、フェースシールドアセンブリに取り付けられるフェースシールアセンブリとを具備する。本発明のこの態様では、フェースシールアセンブリは、底部分、並びに互いに離間配置されて底部分から略上方に延在する第１および第２側部分を有する略Ｕ状フェースシールフレームと、第１側部分よりも第２側部分に近い位置で底部分に取り付けられるとともに、底部分の上方位置で第１側部分に取り付けられる第１フェースシールセグメントと、第２側部分よりも第１側部分に近い位置で底部分に取り付けられるとともに、底部分の上方位置で第２側部分に取り付けられる第２フェースシールセグメントとを具備する。フェースシールドアセンブリを装着者の顔面上に装着すると、第１フェースシールセグメントが装着者の顔面の第１側部に接触し、第２フェ−スシールセグメントが装着者の顔面の第２側部に接触し、第１および第２フェースシールセグメントが装着者の顎の下を横切って配置され、それによって呼吸マスク外部の空気から装着者の顔面を略封止することができる。
添付図面を参照して本発明をさらに説明する。図面において、同様の構成要素は同一符号を付して説明する。
【００１２】
好適な実施形態の詳細な説明
幾つかの図面を通して同一構成要素に同一参照符号が付されている図面のうち、初めに図１および図２を参照すると、呼吸マスクまたはルーズフィットフェースピース１０の一つの好適な実施形態が示されている。その基本的構成要素群は、ヘルメットまたはヘッドピース１２と、ヘルメット１２に回転自在に取り付けられるフェースシールドアセンブリ１４と、フェースシールアセンブリ２０とを含む。ヘルメット１２は、典型的に半球体形状をしており、外部シェル２４から間隔を空けて配置された内部シェル２２を具備し、略ドーム状通路またはチャンバ２６が両シェル２２、２４間に形成される。一つの好適な構成では、ヘルメット１２とチャンバ２６とは、空気供給管（図示せず）を収容するように設計された後方開口部またはレセプタクル２８、および供給された空気を装着者の顔面部分および呼吸領域に逃がしてやるように設計された前方開口部３０をさらに具備する。組み立てられると、外部シェル２４は、内部シェル２２の上に重ねられ、これらシェルの周囲は、典型的に後方開口部２８と前方開口部３０との間で封止されて、ヘルメットの両側部からの不都合な空気の漏れを防止する。動作時、空気は、後方開口部２８に圧力下で供給される。この空気は、後方開口部２８に近接したチャンバ２６の後方部分内に移動するとともに、チャンバ２６の前方部分に向かって移動する。次に、この空気は、チャンバ２６から前方開口部３０を経て装着者の呼吸領域内に出て行く。空気路またはチャンバを有するヘルメットの例が、米国特許第４，２８０，４９１号（Ｂｅｒｇ  ｅｔ  ａｌ．）および第４，１３６，６８８号（Ｇｏｒｍａｎ）に示されている。ルーズフィットフェースピースに関するこの記載は説明を目的としたものであり、ルーズフィットフェースピースに限定されることを意図したものではないことは当業者に理解されよう。
【００１３】
フェースシールドアセンブリ１４は、ヒンジアセンブリ３２によってヘルメット１２の両側部に取り付けられるのが好ましい。図２に示されるように、ヒンジアセンブリ３２は、装着者がフェースシールドアセンブリ１４を回転させて顔面から離すようにできる（点線で示され、以後、最上位置と称する）。さらに図１および図２を参照すると、ヒンジアセンブリ３２は、呼吸マスクの使用時に使用者の顔面上にフェースシールドアセンブリ１４を回転させて降ろすこともできる（以後、最下または動作位置と称する）。ヒンジアセンブリ３２は、フェースシールドアセンブリ１４を、最上位置と最下位置との間の様々な位置で固定できるように構成されるか、またはこれら最上下位置間で自在に回転可能とするように構成できる。フェースシールドは、その全てが本発明の範囲内にあると考えられる様々な方法でヘルメットに回転自在に取り付けられても良いことは、知られている。さらに、フェースシールドアセンブリは、ヘルメットに対して回転しないように固定されても良いことも理解されよう。この場合、ヒンジアセンブリ３２は、呼吸マスクから省略できる。
【００１４】
フェースシールドアセンブリ１４の一構成は、図１に示されるようにフェースシールドフレーム１６を有する。フレーム１６は好ましくは、頂部フレーム部分３４と、互いに間隔を空けて配置された２つの側部フレーム部分３６、３８と、側部フレーム部分３６、３８を接続する下側フレーム部分４０とを具備する。頂部フレーム部分３４は、好ましくはフェースシールドアセンブリ１４がその最下位置にあるときにヘルメット１２の下側縁部を横切って延在し、また呼吸マスクの呼吸領域に空気が侵入したり流出したりするのを防止するのを補助するために、頂部フレーム部分３４とヘルメット１２との間にシール（図示せず）を備えることもできる。側部フレーム部分３６、３８は、頂部フレーム部分３４から略下方に、かつ装着者の顔面から離れる方向に延在する。下側フレーム部分４０は、側部フレーム部分３６、３８の底縁部を接続し、頂部フレーム部分３４と略平行をなす。このようにフレーム１６は、下側フレーム部分４０から延在する側部フレーム部分３６、３８を有する略Ｕ状下側部分を具備する。開口部４２は、フレーム１６の各部分間に設けられる。開口部４２は、実質的に遮られない前方および周囲の視界を装着者に提供できるように十分に大きいものである。略透明なフェースシールド１８が、開口部４２内に配置されて呼吸マスク装着者の顔面を保護する。フェースシールド１８は、好ましくはポリカーボネート、セルロース、アセテート、アクリル、ポリエステル等の丈夫で略透明のフレキシブルプラスチック材料から製造され、フェースシールドフレーム１６内にぴったり嵌まるように設計される。上述のように、フェースシールドアセンブリ１４がその最下位置にあるとき、側部フレーム部分３６、３８は使用者の顔面の両側部から間隔を空けて配置され、下側フレーム部分４０は使用者の顎部分から間隔を空けて配置される。フェースシールドアセンブリ１４は、溶接環境で使用するのに適している材料からフェースシールドフレーム１６とフェースシールド１８とが製造される溶接シールドであっても良いことは理解されよう。
【００１５】
フェースシールドアセンブリ１４と装着者の顔面との間の領域を封止するために、フェースシールドアセンブリ１４は、フェースシールアセンブリ２０を備えている。図３および図４に示された一つの好適な実施形態では、フェースシールアセンブリ２０は、フェースシールフレーム４４と２つのフェースシールセグメント４６、４８とを具備する。より詳しくは、フェースシールフレーム４４は、底部フレーム部分５４から略上方に延在する２つの側部フレーム部分５０、５２を含む略Ｕ状構成を有する。フレーム４４は、フェースシールドフレーム１６の形状およびサイズに略従うように設計できる。それによりフレーム４４は、フェースシールドフレーム１６とフェースシールフレーム４４との間で空気が漏れるような開口をほとんどまたは全く無くして、フェースシールドアセンブリ１４に密に取り付けることができる。フレーム４４は、フェースシールフレーム４４を側部フレーム部分５０、５２のそれぞれの頂部近傍でフェースシールドフレーム１６に取り付ける複数のコネクタ５６をさらに具備する。この実施形態では、それらコネクタ５６は、側部フレーム部分５０、５２から延在するピンとして示されるが、任意の従来型の接続方法も本発明の範囲内と見なされる。好ましくは、コネクタ５６は、フェースシールドフレーム１６にフェ−スシールフレーム４４をしっかり取り付けできるようにするが、必要な場合にはフレーム４４の取り外しも容易にできるようにする。
【００１６】
フェースシールフレーム４４は、図３に概略的に示されるように、断面が略凹状であることが好ましい。この断面は、フェースシールフレーム４４をフェースシールドフレーム１６に取り付けて使用者の顔の前に配置するときに、使用者の顔を呼吸マスク内で都合良く左右に動かすための余分の空間を形成する利点がある。
【００１７】
図３および図４は、装着者の顔と接触する前、または装着者の顔から取り外した後にフェースシールフレーム４４内に配置されたときの、フェースシールセグメント４６、４８の一つの配置構成も示す。この配置構成では、第１フェースシールセグメント４６は、側部フェースシールフレーム部分５０の上側部分に取り付けられるとともに、反対側の側部フェースシールフレーム部分５２に隣接した位置で底部フレーム部分５４に取り付けられることが好ましい。同様に、第２フェースシールセグメント４８は、側部フェースシールフレーム部分５２の上側部分に取り付けられるとともに、側部フェースシールフレーム部分５０に隣接した位置で底部フレーム部分５４に取り付けられることが好ましい。このように、セグメント４６、４８のそれぞれが底部フレーム部分５４に取り付けられる位置は、互いに間隔を空けて配置されることが好ましい。第１および第２フェースシールセグメント４６、４８が取り付けられる側部フレーム部分５０、５２の位置は、これらのフェースシールセグメントのそれぞれが底部フレーム部分５４に取り付けられる位置の上方の任意位置であることが理解されよう。但し、フェースシールセグメント４６、４８のそれぞれが側部フレーム部分５０、５２に取り付けられる位置は、フレーム４４のより多くの部分にわたるようにするために、底部フレーム部分５４から可能な限り間隔を空けて配置されることが好ましく、それによって大きな封止保護を提供することができる。このように、フェースシールセグメント４６、４８は、少なくとも部分的に互いに重なって、本発明のフェース封止能力を提供する。
【００１８】
本発明によれば、図４において最良に示されるように、少なくとも１片の弾性材料６０がフェースシールセグメント４６に取り付けられ、少なくとも１片の弾性材料６２がフェースシールセグメント４８に取り付けられる。好適な実施形態では、フェースシールセグメント４６、４８は、布帛などの可撓性を有する材料であり、弾性ストリップ６０、６２がそれらに縫いつけられる。弾性ストリップ６０、６２は、フェースシールセグメント４６、４８を互いに分離させると同時に、装着者の顔の周りに快適なシールを提供するように十分に弾力的であるべきである。弾性ストリップ６０、６２は、図４に示されるようにフェースシールセグメント上に配置されるのが好ましい。つまり、弾性ストリップ６０は、フェースシールセグメント４６の縁部６４から間隔を空けて配置され、それにより緩い部分またはフラップ部６８が弾性ストリップ６０と縁部６４との間で延在する。同様に、弾性ストリップ６２は、フェースシールセグメント４８の縁部６６から間隔を空けて配置され、それにより緩い部分またはフラップ部７０が弾性ストリップ６２と縁部６６との間で延在する。これらのフラップ部６８、７０の望ましいことについては、後述する。
【００１９】
図５は、装着者の顔がフェースシールセグメントと最初に接触するときの、図４のフェースシールセグメント４６、４８の分離を示す。操作時に、これは装着者がフェースシールドアセンブリ１４をその動作位置に向かって下方に回転するときに生じる。或いは、フェースシールドアセンブリ１４は、装着者がその頭部にヘルメット１２を最初にかぶるときには、すでにその最下または動作位置にあり得ることが理解されよう。図５に示されるように、装着者の顔に近い方のフェースシールセグメント４６は、装着者の顔に最初に接触し、その顔によって側部フレーム部分５０に向かって押される。同様に、フェースシールセグメント４６に対して重なった状態にあるフェースシールセグメント４８は、側部フレーム部分５２に向かって押される。本発明によれば、フェースシールセグメント４６、４８は、それらが交差または重なるところでは互いに取り付けられていないので、それらは、フェースシールドを動作位置に向けて移動して顔がこれらのセグメントに接触するに従い、容易に必要な距離だけ分離できる。このようにフェースシールアセンブリ２０は、フェースシールセグメントを調節せずに様々な顔面形状およびサイズに適応できる。
【００２０】
図６は、フェースシールドアセンブリ１４がその動作または最下位置にあるときの、装着者の顔の周りを封止するフェースシールセグメント４６、４８を示す。この位置は、フェースシールセグメント４６、４８が側部フェースシールフレーム部分５０、５２と側部フェースシールド部分３６、３８（図６には図示せず）とに向かってそれぞれさらに押されることを除いて、図５に関して上述したものと同様である。大抵の場合、弾性部分６０、６２は、セグメント４６、４８間に装着者の顔を入れることによって延伸され、これは呼吸マスクを動作させるうえでの適正なシールを形成し易くする。さらに、フラップ部分６８、７０は、装着者の顔面上に延在して装着者の呼吸領域内への空気濾過に対してより良く封止するのが好ましい。つまり、フェースシールドアセンブリ１４が装着者の顔面上に配置されると、第１フェースシールセグメント４６が装着者の顔の第１側部に接触し、第２フェースシールセグメント４８が装着者の顔の第２側部に接触し、第１および第２フェースシールセグメント４６、４８が装着者の顎の下で交差し、それによって装着者の顔を呼吸マスク外部の空気から略封止する。フラップ部６８、７０は、特に顔のサイズが小さい装着者にとって、汚染物の侵入に対する付加的障壁を形成するのに望ましい。
【００２１】
好適な実施形態では、フェースシールセグメント４６、４８は、フェースシールを上述のように機能させる可撓性を有する材料から製造される。セグメント４６、４８のために選ばれる実際の材料は様々に異なり、その様々な特性が、異なる呼吸マスク用途に望ましい。例えばその材料は、フェースシールセグメント４６、４８を互いに分離させるに十分な可撓性を有するべきであるが、フラップ部分６８、７０が装着者の顔から外れずに装着者の顔に寄りかかることができる程度に十分な堅さも有するべきである。選択された材料は、織布または不織布材料であることができる。材料は、呼吸マスクの外部の空気がその材料を通過して呼吸マスクの呼吸範囲内に移動するのを妨げる非孔質であることもしばしば望ましい。材料は、フェースシールセグメントが洗浄後に再使用可能となるように、洗浄可能であっても良い。材料は、特にその呼吸マスクが溶接用途などの環境で使用される場合、難燃性であればさらに望ましい。比較的快適、軽量、非孔質、および難燃性である好適な材料の一例は、商標名「Ｓｏｎｔａｒａ」で、ＤｕＰｏｎｔ  Ｃｏｒｐｏｒａｔｉｏｎ社、ウィルミントン、デラウェア州、から市販されている生地である。
【００２２】
或いはまた、フェースシールセグメント４６、４８は、ゴムなどの弾性材料から製造されても良い。この場合、その材料の弾力性がフェースシールセグメントの正しい機能を果たすのに必要な順応性を提供するので、弾性片６０、６２が不要となる。
【００２３】
フェースシールセグメント４６、４８は、様々な取付手段によってフェースシールフレーム４４に取り付けることができる。選ばれた取付手段は、フェースシールセグメントを新しいフェースシールセグメントとの交換のためにフェースシールフレームから容易に取り外せるようにすることができる。例えば、フェースシールセグメントは、フェースシールフレームからの突起または突出体と合致する穴をそれらの外縁部近くに備えることができ、それにより、それらの孔がそれらに取り付けるための突出体の上に設置される（図示せず）。他の例では、それぞれの側部フレーム部部５０、５２に近接したフェースシールセグメント４６、４８の縁部は、弾性部分を有してこれらのセグメントをフレーム部分に保持するようにしても良い。或いはまた、フェースシールセグメントは、フェースシールフレームとフェースシールセグメントの外縁部との間に接着剤を塗布することなどの、より恒久的な方法でフェースシールフレームに取り付けられても良い。
【００２４】
ある場合には、フェースシールセグメント４６、４８が、弾性ストリップ６０、６２の上に延在する可撓性部分（以後、テンプル部分７２、７４と称する）があるような形状に形成されることが望ましい。これらのテンプル部分７２、７４は、側部フェースシールフレーム部分５０、５２の上側部分にそれぞれ取り付けられて、フェースシールドアセンブリがその動作位置にあるときに顔の上部（すなわち、装着者のこめかみに近い）に対して封止する。これらのテンプル部分は、装着者の顔の上方領域の封止を都合良く提供すると同時に、装着者が、フェースシールセグメント４６、４８と装着者の顔または眼鏡との間に実質的な障害もなく、フェースシールドアセンブリ１４をその最上位置からその動作位置まで動かすことができるようにする。操作時、テンプル部分７２、７４は、フェースシールドアセンブリ１４が下に降ろされたときにそれらが装着者の顔から離れるように移動できるように、フェースシールフレーム４４から十分に自由でなければならない。テンプル部分７２、７４のそれぞれの少なくともある部分は、他の材料片または同等のもの（図示せず）で補強されて、装着者の顔の上方領域における付加的封止能力を提供するようにしても良い。
【００２５】
図１の実施形態は、フェースシールドフレームに取り付けられる個別フェースシールフレームに取り付けられたフェースシールセグメントを示すが、これらのセグメントがその代わりにフェースシールドフレームに直接取り付けられることも考えられる。図７は、フェースシールセグメント４６、４８がフェースシールドフレーム１６に直に取り付けられるフェースシールドアセンブリ１４のこのような実施形態を示す。より詳しくは、フェースシールセグメント４６は、側部フレーム部分３６の上部に取り付けられるとともに、反対側の側部フレーム部分３８に隣接して下側フレーム部分４０に取り付けられる。フェースシールセグメント４８は、側部フレーム部分３８の上部に取り付けられるとともに、反対側の側部フレーム部分３６に隣接して下側フレーム部分４０に取り付けられる。他の全ての点で、このフェースシールアセンブリが、図１から図６を通じて上述したフェースシールアセンブリの特性を有することが望ましい。
【００２６】
フェースシールセグメントが、個別フレーム（図示せず）を持たないレンズの外縁部に取り付けられることも本発明の範囲内にある。この場合、呼吸マスクは上述のタイプのフェースシールドフレームを持たない。代わりに、そのレンズは空気供給装置に取り付けられ、レンズの外縁部は、実際に、本発明の構成のフェースシールセグメントを支持するフレームとなる。
【００２７】
呼吸マスク１０は、侵入する汚染した空気が装着者の呼吸領域に達する前にそれを濾過するフィルタ（図示せず）を備えることができる、自蔵型バッテリ駆動式ユニットなどの空気強制濾過式呼吸マスクであっても良い。或いは、呼吸マスク１０は、供給される空気が事前に濾過されるので余分な空気フィルタが不要となる空気供給式呼吸マスクであっても良い。さらに、上述のフェースシールは、主に正圧呼吸マスクで使用するように設計されているが、このフェースシールを異なる呼吸マスク分類に使用できることも考えられる。
【００２８】
本発明を、その幾つかの実施形態に関して説明したが、前述の詳細な説明は理解を明瞭にするだけのものであり、不必要な限定がそれから理解されるべきものではない。他の多くの変更が、本発明の範囲を逸脱することなく、記載された実施形態になされ得ることは当業者に理解されよう。例えば、医療用マスクなどの装置も考えられる。このように本発明の範囲は、ここで説明された構造に限定されるべきものではなく、請求項に記述された構造およびそれら構造の均等物によって限定される。
【図面の簡単な説明】
【図１】  本発明による呼吸マスクの一実施形態の斜視図である。
【図２】  フェースシールドアセンブリをその動作位置で示すとともに、上昇位置にあるフェースシールドアセンブリを点線で示す、本発明による呼吸マスクの側面図である。
【図３】  図１のフェースシールアセンブリの斜視図である。
【図４】  本発明のフェースシールを有するフェースシールアセンブリの正面図である。
【図５】  人間の頭部を部分的に挿入した状態で本発明のフェースシールを組み込んだ図４のフェースシールアセンブリの正面図である。
【図６】  図５におけるよりもさらに深く人間の頭部を挿入した本発明によるフェースシールを組み込んだ図４及び図５のフェースシールアセンブリの正面図である。
【図７】  本発明による呼吸マスクの他の実施形態の斜視図である。
【図１】
0003974327.tif 000002
【図２】
0003974327.tif 000003
【図３】
0003974327.tif 000004
【図４】
0003974327.tif 000005
【図５】
0003974327.tif 000006
【図６】
0003974327.tif 000007
【図７】
0003974327.tif 000008